(57)【要約】【課題】  ドライバー等の工具を必要とせず、狭い場所や、暗所でも簡単に信号線を電極に固定出来る電磁流量計を実現する。【解決手段】  測定管に一端側が挿入される柱状の測定電極と、この測定電極の他端に接続される信号線と、前記測定電極の周囲に前記測定管に着脱自由に設けられた電極カバーとを具備する電磁流量計において、  前記電極カバーに設けられ前記測定電極の他端に前記信号線の一端を押圧接続する押圧手段を具備したことを特徴とする電磁流量計である。【選択図】                    図１
2006194751.tif 000002
【特許請求の範囲】
【請求項１】
測定管に一端側が挿入される柱状の測定電極と、この測定電極の他端に接続される信号線と、前記測定電極の周囲に前記測定管に着脱自由に設けられた電極カバーとを具備する電磁流量計において、
前記電極カバーに設けられ前記測定電極の他端に前記信号線の一端を押圧接続する押圧手段
を具備したことを特徴とする電磁流量計。
【請求項２】
前記押圧手段は、一端が前記測定電極に前記信号線を押圧接続するばねと、
前記電極カバーに一面が設けられ他面に前記ばねの他端が設けられた絶縁ワッシャと
を具備したことを特徴とする請求項１記載の電磁流量計。
【請求項３】
前記絶縁ワッシャは他面側に前記ばねを受ける凹部が設けられたこと
を特徴とする請求項２記載の電磁流量計。
【請求項４】
前記押圧手段は、一端が前記測定電極に前記信号線を押圧接続する筒状の絶縁ワッシャと、
前記電極カバーに一端が設けられ他端が前記絶縁ワッシャの他端に接するばねと、
このばねを前記絶縁ワッシャと前記電極カバーで挟み込み固定する固定ねじと
を具備したことを特徴とする請求項１記載の電磁流量計。
【請求項５】
前記絶縁ワッシャには、前記測定電極に前記信号線を押圧接続すると共に前記固定ねじが挿入される凹部が設けられたこと
を特徴とする請求項４記載の電磁流量計。
【請求項６】
前記信号線は圧着チップを介して前記測定電極に接続されたこと
を特徴とする請求項１乃至請求項５の何れかに記載の電磁流量計。
【発明の詳細な説明】
【技術分野】
【０００１】
本発明は、電磁流量計の電極構造に関するものである。
更に詳述すれば、ドライバー等の工具を必要とせず、狭い場所や、暗所でも簡単に信号線を電極に固定出来る電磁流量計に関するものである。
【背景技術】
【０００２】
電磁流量計に関連する先行技術文献としては次のようなものがある。
【特許文献１】特開２００４−１６３１９３号公報
【０００３】
図５は、従来より一般に使用されている従来例の要部構成説明図である。
図において、測定管１１には、測定流体ＦＬが内部に流れる．
ライニング体１２は、測定管１１の内壁面部と電極取付穴部を通じて電極取付穴周辺部の外壁面上までライニングされている。
【０００４】
ボス１３は、ライニング体１２の電極取付穴周辺部を囲んでリング状に、測定管１１の外壁に設けられている。
柱状の電極１４は、電極取付穴部に一端側が挿入され、途中に設けられた鍔部１４１の一方の面が、ライニング体１２の電極取付穴周辺部に接する。
【０００５】
絶縁ワッシャー１５は、電極１４の外周面に挿入され、鍔部１４１の他方の面に一方の面が接して設けられている。
なお、この場合は、絶縁ワッシャーには、電極１４の外周面に沿ってリング状に設けられた凸部１５１を有している。
【０００６】
筒状の絶縁リング１６は、電極１４の他方端側に挿入され、一方端が絶縁ワッシャー１５に接する。
電極キャップ１７は、絶縁リング１６の外周面に挿入され、絶縁ワッシャー１５の他方の面に一方の面が接し、側部１７１がボス１３の内壁に係合する。
【０００７】
係止手段１８は、絶縁リング１６の他方端に設けられ、電極キャップ１７が電極１４の軸方向に脱するのを係止する。
この場合は、係止手段１８として、突起部１８１とＥ形止め輪１８２とよりなる。
【０００８】
突起部１８１は、絶縁リング１６の他方端に設けられ、電極キャップ１７が電極１４の軸方向に脱するのを係止する。
Ｅ形止め輪１８２は、電極１４の他端側に設けられ、絶縁リング１６が電極１４の軸方向に脱するのを係止する。
【０００９】
なお、突起部１８１の代わりに、抜け止め用のワッシャが使用されても良いことは勿論である。
電極カバー１９は、ボス１３に取り付けられている。
信号線２１は、電極１４に圧着チップ２２を介して、ねじ２３により取付けられている。
【００１０】
以上の構成において、図５に示す如く、電極１４に、絶縁ワッシャー１５、電極キャップ１７を取り付け、突起部１８１.が設けられた絶縁リング１６を図の右側から取り付け、E形止め輪１８２で止める。
このモジュールを.ライニング体１２に取り付ける。
信号線２１を、電極１４に圧着チップ２２を介して、ねじ２３により取付ける。
【発明の開示】
【発明が解決しようとする課題】
【００１１】
しかしながら、このような装置においては、信号線２１の圧着チップ２２を電極１４に取り付ける、または取り外すためには、ねじ２３を回すためには、ドライバー等の工具が必要であった。
また、その作業を行う場合、他の機器のために、ドライバー等の工具の入るスペースがなかったり、暗所では作業がしにくい等の問題があった。
【００１２】
本発明の目的は、上記の課題を解決するもので、ドライバー等の工具を必要とせず、狭い場所や、暗所でも簡単に信号線の圧着チップを電極に固定出来る電磁流量計を提供することを目的とする。
【課題を解決するための手段】
【００１３】
このような課題を達成するために、本発明では、請求項１の電磁流量計においては、
測定管に一端側が挿入される柱状の測定電極と、この測定電極の他端に接続される信号線と、前記測定電極の周囲に前記測定管に着脱自由に設けられた電極カバーとを具備する電磁流量計において、
前記電極カバーに設けられ前記測定電極の他端に前記信号線の一端を押圧接続する押圧手段を具備したことを特徴とする電磁流量計。
【００１４】
本発明の請求項２においては、請求項１記載の電磁流量計において、
前記押圧手段は、一端が前記測定電極に前記信号線を押圧接続するばねと、前記電極カバーに一面が設けられ他面に前記ばねの他端が設けられた絶縁ワッシャとを具備したことを特徴とする。
【００１５】
本発明の請求項３においては、請求項２記載の電磁流量計において、
前記絶縁ワッシャは他面側に前記ばねを受ける凹部が設けられたことを特徴とする。
【００１６】
本発明の請求項４においては、請求項１記載の電磁流量計において、
前記押圧手段は、一端が前記測定電極に前記信号線を押圧接続する筒状の絶縁ワッシャと、前記電極カバーに一端が設けられ他端が前記絶縁ワッシャの他端に接するばねと、このばねを前記絶縁ワッシャと前記電極カバーで挟み込み固定する固定ねじとを具備したことを特徴とする。
【００１７】
本発明の請求項５においては、請求項４記載の電磁流量計において、
前記絶縁ワッシャには、前記測定電極に前記信号線を押圧接続すると共に前記固定ねじが挿入される凹部が設けられたことを特徴とする。
【００１８】
本発明の請求項６においては、請求項１乃至請求項５の何れかに記載の電磁流量計において、
前記信号線は圧着チップを介して前記測定電極に接続されたことを特徴とする。
【発明の効果】
【００１９】
以上説明したように、本発明の請求項１によれば、次のような効果がある。
電極カバーに設けられ測定電極の他端に信号線の一端を押圧接続する押圧手段が設けられたので、信号線と電極の導通が容易に実現出来る電磁流量計が得られる。
電極カバーに、測定電極に信号線を押圧接続する機能が具備されているため、ドライバー等の工具が不要となる電磁流量計が得られる。
電極カバーに、測定電極に信号線を押圧接続する機能が具備されているため、工具の入らない狭い場所や暗所でも容易に作業が実現出来る電磁流量計が得られる。
【００２０】
本発明の請求項２によれば、次のような効果がある。
押圧手段は、一端が測定電極に信号線を押圧接続するばねと、電極カバーに一面が設けられ他面にばねの他端が設けられた絶縁ワッシャとが設けられたので、
信号線と電極の導通が容易に実現出来る電磁流量計が得られる。
電極カバーに、測定電極に信号線を押圧接続する機能が具備されているため、ドライバー等の工具が不要となる電磁流量計が得られる。
電極カバーに、測定電極に信号線を押圧接続する機能が具備されているため、工具の入らない狭い場所や暗所でも容易に作業が実現出来る電磁流量計が得られる。
ばねと絶縁ワッシャとが付加されるのみであるので、利便性が向上されて安価な電磁流量計が得られる。
【００２１】
本発明の請求項３によれば、次のような効果がある。
絶縁ワッシャは他面側にばねを受ける凹部が設けられているので、ばねの取付けが確実な電磁流量計が得られる。
【００２２】
本発明の請求項４によれば、次のような効果がある。
押圧手段は、一端が測定電極に信号線を押圧接続する筒状の絶縁ワッシャと、電極カバーに一端が設けられ他端が絶縁ワッシャの他端に接するばねと、このばねを絶縁ワッシャと電極カバーで挟み込み固定する固定ねじとが設けられたので、ばねは、絶縁ワッシャと電極カバーで挟み込まれ、ばねの取付けが更に確実な電磁流量計が得られる。
【００２３】
本発明の請求項５によれば、次のような効果がある。
絶縁ワッシャには、測定電極に信号線を押圧接続すると共に前記固定ねじが挿入される凹部が設けられたので、更に確実に、測定電極に信号線を押圧接続することが出来る電磁流量計が得られる。
【００２４】
本発明の請求項６によれば、次のような効果がある。    
信号線は圧着チップを介して測定電極に接続されたので、測定電極への信号線の接続がより容易となる電磁流量計が得られる。
【発明を実施するための最良の形態】
【００２５】
以下本発明を図面を用いて詳細に説明する。
図１は本発明の一実施例の要部構成説明図、図２は図１の動作説明図である。
図において、図５と同一記号の構成は同一機能を表す。
以下、図５との相違部分のみ説明する。
【００２６】
押圧手段３１は、電極カバー１９に設けられ、測定電極１４の他端に、信号線２１の一端を押圧接続する。
この場合は、押圧手段３１は、一端が測定電極１４に信号線２１を押圧接続するばね３１１と、電極カバー１９に一面が設けられ他面にばね３１１の他端が設けられた絶縁ワッシャ３１２とを有する。
【００２７】
また、絶縁ワッシャ３１２は他面側に、ばね３１１を受ける凹部３１３が設けられている。
また、この場合は、信号線２１は圧着チップ２２を介して、測定電極１４に接続されている。
【００２８】
以上の構成において、図２に示す如く.電極カバー１９に絶縁ワッシャー３１２を取り付け、ばね３１１を取り付ける。
測定電極１４に圧着チップ２２を介して信号線２１を取付ける。
電極カバー１９を測定管１１に取付ける。
【００２９】
この結果。
電極カバー１９に設けられ測定電極１４の他端に信号線２１の一端を押圧接続する押圧手段３１が設けられたので、信号線２１と電極１４の導通が容易に実現出来る電磁流量計が得られる。
電極カバー１９に、測定電極１４に信号線２１を押圧接続する機能が具備されているため、ドライバー等の工具が不要となる電磁流量計が得られる。
電極カバー１９に、測定電極１４に信号線２１を押圧接続する機能が具備されているため、工具の入らない狭い場所や暗所でも容易に作業が実現出来る電磁流量計が得られる。
【００３０】
押圧手段３１は、一端が測定電極１４に信号線２１を押圧接続するばね３１１と、電極カバー１９に一面が設けられ他面にばね３１１の他端が設けられた絶縁ワッシャ３１２とが設けられたので、信号線２１と電極１４の導通が容易に実現出来る電磁流量計が得られる。
ばね３１１と絶縁ワッシャ３１２とが付加されるのみであるので、利便性が向上されて安価な電磁流量計が得られる。
【００３１】
絶縁ワッシャ３１２は他面側にばね３１１を受ける凹部３１３が設けられているので、ばね３１１の取付けが確実な電磁流量計が得られる。
信号線２１は圧着チップ２２を介して測定電極１４に接続されたので、測定電極１４への信号線２１の接続がより容易となる電磁流量計が得られる。
【００３２】
図３は本発明の他の実施例の要部構成説明図である。
本実施例においては、押圧手段４１は、一端が測定電極１４に信号線２１を押圧接続する筒状の絶縁ワッシャ４１１と、電極カバー１９に一端が設けられ、他端が絶縁ワッシャ４１１の他端に接するばね４１２と、ばね４１２を絶縁ワッシャ４１１と電極カバー１９で挟み込み固定する固定ねじ４１３とを有する。
この場合は、絶縁ワッシャ４１１には、測定電極１４に信号線２１を押圧接続すると共に、固定ねじ４１３が挿入される凹部４１４が設けられている。
【００３３】
以上の構成において、ばね４１２を絶縁ワッシャ４１１と電極カバー１９で挟み込み、電極カバー１９に固定ねじ４１３で固定する。
この電極カバー１９を測定管１１にねじ込むにつれ、絶縁ワッシャ４１１がばね４１２に押されるため、測定電極１４に信号線２１が押圧接続され、測定電極１４と信号線２１とが導通される。
【００３４】
この結果、
押圧手段４１は、一端が測定電極１４に信号線２１を押圧接続する筒状の絶縁ワッシャ４１１と、電極カバー１９に一端が設けられ他端が絶縁ワッシャ４１１の他端に接するばね４１２と、このばね４１２を絶縁ワッシャ４１１と電極カバー１９で挟み込み固定する固定ねじ４１３とが設けられたので、ばね４１２は、絶縁ワッシャ４１１と電極カバー１９で挟み込まれ、ばね４１２の取付けが更に確実な電磁流量計が得られる。
【００３５】
絶縁ワッシャ４１１には、測定電極１４に信号線２１を押圧接続すると共に、固定ねじ４１３が挿入される凹部４１４が設けられたので、更に確実に、測定電極１４に信号線２１を押圧接続することが出来る電磁流量計が得られる。
【００３６】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００３７】
【図１】本発明の一実施例の要部構成説明図である。
【図２】図１の動作説明図である。
【図３】本発明の他の実施例の要部構成説明図である。
【図４】図３の動作説明図である。
【図５】従来より一般に使用されている従来例の要部構成説明図である。
【符号の説明】
【００３８】
１１    測定管
１４    測定電極
１９    電極カバー
２１    信号線
２２    圧着チップ
３１    押圧手段
３１１  ばね
３１２  絶縁ワッシャ
３１３  凹部
４１    押圧手段
４１１  絶縁ワッシャ
４１２  ばね
４１３  固定ねじ
４１４  凹部
【図１】
2006194751.tif 000003
【図２】
2006194751.tif 000004
【図３】
2006194751.tif 000005
【図４】
2006194751.tif 000006
【図５】
2006194751.tif 000007